(57)【要約】【課題】  組み立ての簡易化、部品点数の削減、コストの削減を図ること。【解決手段】  電気機械変換素子（１３）と、この電気機械変換素子の端部（１３ｂ）に取り付けられた振動部材（１４）と、この振動部材と摩擦結合される移動部材（１２）とを備え、電気機械変換素子の伸縮方向に移動部材が移動可能な駆動装置（１０）において、振動部材（１４）は、弾性によって移動部材（１２）を挟み込む可撓性の挟み込み部（１４２）を持つ。バネ（１５）は、振動部材（１４）と可撓性の挟み込み部（１４２）とに係合して、可撓性の挟み込み部（１４２）を移動部材（１２）に押し付けるための押付力を発生する。振動部材（１４）は、当該振動部材と移動部材（１２）との間の摩擦結合部に断面Ｖ字状の溝（１４ａ）を持つ。【選択図】      図１
2009050142.tif 000002
【特許請求の範囲】
【請求項１】
伸縮方向で互いに対向する一対の端部を持つ電気機械変換素子と、該電気機械変換素子の前記一対の端部の一方に取り付けられた振動部材と、該振動部材と摩擦結合される移動部材とを備え、前記電気機械変換素子の伸縮方向に前記移動部材が移動可能な駆動装置において、
前記振動部材と前記移動部材の一方は、弾性によって前記振動部材と前記移動部材の他方を挟み込む可撓性の挟み込み部を持ち、
該可撓性の挟み込み部を前記振動部材と前記移動部材の他方に付勢して、前記振動部材と前記移動部材との間に摩擦力を付加する付勢部材を有する、ことを特徴とする駆動装置。
【請求項２】
前記移動部材は棒状をしており、前記可撓性の挟み込み部は、前記振動部材に設けられて、前記移動部材を挟み込んでいる、請求項１に記載の駆動装置。
【請求項３】
前記付勢部材は、前記振動部材と前記可撓性の挟み込み部とに係合して、前記可撓性の挟み込み部を前記移動部材に押し付けるための押付力を発生するバネから構成される、請求項２に記載の駆動装置。
【請求項４】
前記振動部材は、当該振動部材と前記移動部材との間の摩擦結合部に断面Ｖ字状の溝を持つことを特徴とする、請求項２又は３に記載の駆動装置。
【請求項５】
前記振動部材は棒状をしており、前記可撓性の挟み込み部は、前記移動部材に設けられて、前記振動部材を挟み込んでいる、請求項１に記載の駆動装置。
【請求項６】
前記付勢部材は、前記移動部材と前記可撓性の挟み込み部とに係合して、前記可撓性の挟み込み部を前記振動部材に押し付けるための押付力を発生するバネから構成される、請求項５に記載の駆動装置。
【請求項７】
前記移動部材は、当該移動部材と前記振動部材との間の摩擦結合部に断面Ｖ字状の溝を持つことを特徴とする、請求項５又は６に記載の駆動装置。
【発明の詳細な説明】
【技術分野】
【０００１】
本発明は駆動装置に関し、特に、圧電素子等の電気機械変換素子を用いた駆動装置に関する。
【背景技術】
【０００２】
従来から、カメラのオートフォーカス用アクチュエータやズーム用アクチュエータとして、圧電素子、電歪素子、磁歪素子等の電気機械変換素子を使用した（駆動装置）リニアアクチュエータが使用されている。
【０００３】
例えば、特許文献１は、圧電素子と、この圧電素子に結合して圧電素子の伸縮方向に延在する駆動軸（耐摩耗性の振動棒、振動部材）と、この駆動軸に摩擦結合した被駆動部材（ズームレンズ鏡筒、移動部材）とを備えた駆動装置を開示している。この特許文献１では、圧電素子に印加する駆動信号を工夫して、被駆動部材（ズームレンズ鏡筒、移動部材）を駆動している。特許文献１では、駆動軸（振動部材）を被駆動部材（移動部材）と摩擦板との間で挟んでいる。換言すれば、駆動軸（振動部材）は被駆動部材（移動部材）と摩擦板との間を貫通している。圧接ばねにより摩擦板が駆動軸（振動部材）を被駆動部材（移動部材）との間に挟む方向に押圧される。
【０００４】
また、特許文献２は、第１の圧電素子に取り付けた駆動部材（振動部材）と被駆動部材（移動部材）との摩擦係合を確保、或いは解除する第２の圧電素子を設けることによって、被駆動部材を安定して正確に移動させることができるアクチュエータを開示している。特許文献２に開示されたアクチュエータは、駆動用の一対の第１の圧電素子、係合用の第２の圧電素子、一対の駆動部材、及び押さえばねで構成される。一対の第１の圧電素子及び一対の駆動部材は被駆動板を挟んで両側に配置される。一対の駆動部材の間隔が第２の圧電素子によって拡縮される。この第２の圧電素子によって、一対の駆動部材と被駆動板との摩擦係合が確保、或いは解除される。
【０００５】
また、特許文献３は、可動子を炭素繊維を含む液晶ポリマーで形成することで、金属材料で形成する場合に比べて、低コスト化と軽量化を図れるとともに、移動速度や駆動力を低下させることなく高い曲げ弾性係数の可動子を用いた高性能な駆動装置を開示している。この特許文献３に開示された駆動装置は、電圧が印加されることにより伸縮する圧電素子（電気機械変換素子）と、圧電素子の伸縮方向一端に固定された駆動軸（振動部材）と、駆動軸に摺動可能に摩擦係合する可動子（移動部材）と、圧電素子の伸縮方向他端に接着固定されたウェイト（静止部材、錘）とを備える。圧電素子の伸びと縮みの速度または加速度を異ならせて駆動軸を振動させることにより、可動子（移動部材）を駆動軸（振動部材）に沿って移動させる。駆動軸は、直線状に延びる丸棒の軸体で構成されている。可動子は、可動子本体とキャップとで構成され、両者が駆動軸を挟むようにして駆動軸に係合している。可動子を駆動軸に沿って移動可能にすべく、駆動軸と可動子間が所定の摩擦力となるように、略コ字状の板バネにより可動子本体とキャップを駆動軸に押し付けている。可動子本体にはＶ字形断面の溝が設けられている。この溝に駆動軸が嵌り込んで、溝の２つの斜面が駆動軸と接触するようになっている。同様に、キャップにはＶ字形断面の溝が設けられている。キャップが可動子本体と組み合わされた場合に、キャップの溝に駆動軸が嵌り込んで、その溝の２つの斜面が駆動軸と接触するようになっている。
【０００６】
さらに、特許文献４は、移動部材を高速で安定して駆動することができる駆動装置を開示している。特許文献４に開示された駆動装置は、静止部材と、この静止部材にその伸縮方向の一端を固定された電気機械変換素子と、この電気機械変換素子の伸縮方向の他端に結合され、電気機械変換素子の伸縮方向に移動できるように支持された駆動部材（振動部材）と、この駆動部材に摩擦結合され、電気機械変換素子の伸縮方向に移動できるように支持された移動部材と、駆動部材（振動部材）と移動部材との間に摩擦力を発生させる摩擦力付与手段とを備えている。この摩擦力付加手段は、移動部材に固定されて押付力を発生する弾性部材と、弾性部材により発生する押付力を駆動部材に伝える挟み込み部材から構成される。また、移動部材と駆動部材の接触部、及び挟み込み部材の接触部を断面Ｖ字状にしている。
【０００７】
【特許文献１】特許第３２１８８５１号公報
【特許文献２】特開２００６−５４９７９号公報
【特許文献３】特開２００６−３０４５２９号公報
【特許文献４】特許第３１４１７１４号公報
【発明の開示】
【発明が解決しようとする課題】
【０００８】
前述した特許文献１〜４には、それぞれ、以下に説明するような問題点がある。
【０００９】
特許文献１に開示された駆動装置では、駆動軸（振動部材）とズームレンズ鏡筒（被駆動部材、移動部材）とを摩擦結合させるために、別体で摩擦板が必要になる。その為、組み立て性に劣り、部品点数が多くなり、コスト高になるという問題がある。
【００１０】
特許文献２は、複数の圧電素子を備えるので、構成が複雑になると共に、サイズを縮小するのは不利である。
【００１１】
特許文献３では、可動子（移動部材）が、互いに別体の可動子本体とキャップとで構成され、両者が駆動軸（振動部材）を挟むようにして駆動軸（振動部材）に係合している。そのため、上記特許文献１と同様に、組み立て性に劣り、部品点数が多くなり、コスト高になるという問題がある。
【００１２】
特許文献４に開示された駆動装置では、駆動部材（振動部材）を移動部材と挟み込み部材（パッド）で挟み込み、挟み込み部材（パッド）を弾性部材（板ばね）で駆動部材（振動部材）に押し当てている。そのため、上述した特許文献１又は３に開示された駆動装置と同様に、組み立て性に劣り、部品点数が多くなり、コスト高になるという問題がある。
【００１３】
本発明の課題は、組み立ての簡易化を図ることができる、駆動装置を提供することにある。
【００１４】
本発明の他の課題は、部品点数を削減することができる、駆動装置を提供することにある。
【００１５】
本発明のもっと他の課題は、コストを削減することができる、駆動装置を提供することにある。
【００１６】
本発明の他の目的は、説明が進むにつれて明らかになるだろう。
【課題を解決するための手段】
【００１７】
本発明によれば、伸縮方向で互いに対向する一対の端部を持つ電気機械変換素子（１３；２３）と、該電気機械変換素子の前記一対の端部の一方に取り付けられた振動部材（１４；２２）と、該振動部材と摩擦結合される移動部材（１２；２４）とを備え、前記電気機械変換素子の伸縮方向に前記移動部材が移動可能な駆動装置（１０；１０Ａ；２０）において、前記振動部材と前記移動部材の一方は、弾性によって前記振動部材と前記移動部材の他方を挟み込む可撓性の挟み込み部（１４２；２４２）を持ち、該可撓性の挟み込み部を前記振動部材と前記移動部材の他方に付勢して、前記振動部材と前記移動部材との間に摩擦力を付加する付勢部材（１５；１５Ａ；１５）を有する、ことを特徴とする駆動装置が得られる。
【００１８】
本発明の第１の態様によれば、上記駆動装置において、前記移動部材（１２）は棒状をしており、前記可撓性の挟み込み部（１４２）は、前記振動部材（１４）に設けられて、前記移動部材（１２）を挟み込んでいる。前記付勢部材は、例えば、前記振動部材（１４）と前記可撓性の挟み込み部（１４２）とに係合して、前記可撓性の挟み込み部を前記移動部材（１２）に押し付けるための押付力を発生するバネ（１５；１５Ａ）から構成されてよい。前記振動部材（１４）は、当該振動部材と前記移動部材との間の摩擦結合部に断面Ｖ字状の溝（１４ａ）を持つことが好ましい。
【００１９】
本発明の第２の態様によれば、上記駆動装置において、前記振動部材（２２）は棒状をしており、前記可撓性の挟み込み部（２４２）は、前記移動部材（２４）に設けられて、前記振動部材（２２）を挟み込んでいる。前記付勢部材は、例えば、前記移動部材（２４）と前記可撓性の挟み込み部（２４２）とに係合して、前記可撓性の挟み込み部を前記振動部材（２２）に押し付けるための押付力を発生するバネ（２５）から構成されてよい。前記移動部材（２４）は、当該移動部材と前記振動部材との間の摩擦結合部に断面Ｖ字状の溝（２４ａ）を持つことが好ましい。
【００２０】
尚、上記括弧内の参照符号は、理解を容易にするために付したものであり、一例に過ぎず、これらに限定されないのは勿論である。
【発明の効果】
【００２１】
本発明では、振動部材と移動部材の一方が弾性によって振動部材と移動部材の他方を挟み込む可撓性の挟み込み部を持ち、付勢部材が可撓性の挟み込み部を振動部材と移動部材の他方に付勢して、振動部材と移動部材との間に摩擦力を付加しているので、組み立ての簡易化を図り、部品点数の削減とコストの削減を図ることができる。
【発明を実施するための最良の形態】
【００２２】
以下、図面を参照して、本発明の実施の形態について説明する。
【００２３】
図１を参照して、本発明の第１の実施の形態による駆動装置１０について説明する。図１において、（Ａ）は駆動装置１０の平面図であり、（Ｂ）は駆動装置１０の正面図である。ここでは、図１に示されるように、直交座標系（Ｘ，Ｙ，Ｚ）を使用している。図１に図示した状態では、直交座標系（Ｘ，Ｙ，Ｚ）において、Ｘ軸は左右方向（幅方向）であり、Ｙ軸は前後方向（奥行方向）であり、Ｚ軸は上下方向（高さ方向）である。
【００２４】
図示の駆動装置１０は、例えば、オートフォーカスレンズ駆動ユニットのレンズ駆動部として使用される。その場合、図１に示す例においては、上下方向Ｚがレンズの光軸方向である。
【００２５】
図示の駆動装置１０は、図示しない筐体内に配置される。筐体は、カップ状の上側カバー（図示せず）と下側ベース（図示せず）とを含む。筐体の下側ベース上に静止部材（錘）１１が搭載される。上側カバーの上面は、レンズの光軸を中心軸とした円筒部（図示せず）を有する。一方、図示はしないが、下側ベースの中央部には、基板に配置された撮像素子が搭載される。この撮像素子は、可動レンズ（後述する）により結像された被写体像を撮像して電気信号に変換する。撮像素子は、例えば、ＣＣＤ（charge coupled device）型イメージセンサ、ＣＭＯＳ（complementary metal oxide semiconductor）型イメージセンサ等により構成される。
【００２６】
筐体内には、可動鏡筒（図示せず）を間に挟んで、当該駆動装置１０と対向した位置に、案内軸（図示せず）が設けられている。この案内軸は、レンズの光軸と平行に延在している。案内軸の上端は筐体の上側カバーの上面に固定され、下端は筐体の下側ベースに固定されている。このレンズの光軸を間に挟んで、案内軸と反対側には、棒状の移動軸（移動部材）１２が設けられている。すなわち、案内軸と移動軸１２とは、レンズの光軸まわりに回転対称な位置に配置されている。
【００２７】
尚、オートフォーカスレンズ駆動ユニットは、レンズ可動部とレンズ駆動部とから構成される。レンズ駆動部は、レンズ可動部をレンズの光軸方向に摺動可能に支持しながら、後述するようにレンズ可動部を駆動する。レンズ可動部は上記棒状の移動軸（移動部材）１２を含み、レンズ駆動部は静止部材（錘）１１を含む。レンズ可動部は被駆動部材１７を含む。この被駆動部材１７は、連結部材１８を介して移動部材１２の一端に結合されている。
【００２８】
駆動装置１０（レンズ駆動部）は、電気機械変換素子として働く積層圧電素子１３と、円柱状の上記静止部材（錘）１１と、振動部材１４とを有する。積層圧電素子１３は、レンズの光軸方向に伸縮する。積層圧電素子１３は、レンズの光軸方向に複数の圧電層を積層した構造を有する。積層圧電素子１３は、伸縮方向で互いに対向する第１の端部（下端部）１３ａと第２の端部（上端部）１３ｂとを持つ。静止部材（錘）１１は、積層圧電素子１３の第１の端部（下端部）１３ａに接着剤等で結合される。振動部材１４は、積層圧電素子１３の第２の端部（上端部）１３ｂに接着剤等で取り付けられている。図示の例では、振動部材１４は積層圧電素子１３の第２の端部１３ｂに直接結合されているが、振動部材１４と積層圧電素子１３の第２の端部１３ｂとの間に何らかの部材が介在してもよい。積層圧電素子１３と静止部材１１との組合せは、圧電ユニットと呼ばれる。
【００２９】
棒状の移動軸（移動部材）１２は、この振動部材１４と摩擦結合される。振動部材１４には、当該振動部材１４と棒状の移動軸（移動部材）１２との間の摩擦結合部に断面Ｖ字状の溝１４ａが形成されている。
【００３０】
振動部材１４は、弾性によって移動部材１２を挟み込む可撓性の挟み込み部１４２を持つ。駆動装置１０（レンズ駆動部）は、棒状の移動軸（移動部材）１２を振動部材１４に対して押し付ける（付勢する）ためのバネ１５を備える。すなわち、バネ１５は、振動部材１４と可撓性の挟み込み部１４２とに係合して、可撓性の挟み込む部１４２を移動部材１２に押し付ける押付力を発生する。換言すれば、バネ１５は、可撓性の挟み込み部１４２を移動部材１２に付勢して、振動部材１４と移動部材１２との間に摩擦力を付加する付勢手段として作用する。
【００３１】
振動部材１４は、バネ１５を保持するための一対の係止溝１４ｂが設けられている。バネ１５は、その両端１５ａがこれら一対の係止溝１４ｂで振動部材１４に係合され、その両端１５ａから可撓性の挟み込み部１４２側に延在している。バネ１５は、その中央部で、可撓性の挟み込み部１４２と当接する当接部１５ｂを持つ。これにより、振動部材１４と可撓性の挟み込み部１４２をバネ１５で棒状の移動軸（移動部材）１２に押し付けている。この結果、棒状の移動軸（移動部材）１２は振動部材１４に安定して摩擦結合される。
【００３２】
詳述すると、移動部材１２とバネ１５との間に可撓性の挟み込み部１４２が挟み込まれている。これは、バネ１５の摩擦磨耗による押付力の劣化をなくし、バネ１５の摩擦磨耗による摩擦力の変化をなくすためである。尚、可撓性の挟み込み部１４２の摩擦磨耗を防ぐため、可撓性の挟み込み部１４２の表面は滑らかであることが望ましい。
【００３３】
また、振動部材１４において、振動部材１４と移動部材１２との間の摩擦結合部に断面Ｖ字状の溝１４ａを形成している。振動部材１４の断面Ｖ字状の溝１４ａによる移動部材１２との２直線接触により、摩擦結合部の接触状態が安定し、再現性の良い摩擦駆動が得られると共に、移動部材１２の一軸移動体としての直進移動性を高めるという効果を奏する。尚、この断面Ｖ字状の溝１２ａの角度は、３０度から１８０度未満の範囲であることが望ましい。
【００３４】
また、振動部材１４と可撓性の挟み込み部１４２をバネ１５で移動部材１２に押し付けている。これにより、振動部材１４の断面Ｖ字状の溝１４ａと可撓性の挟み込み部１４２とを、移動部材１２に押し付けることで、安定した線接触を可能としている。尚、バネ１５による押付力は５〜１００ｇｆの範囲にあることが望ましい。
【００３５】
このように、本実施の形態では、振動部材１４が可撓性の挟み込み部１４２を持っている。すなわち、振動部材１４は、可撓性の挟み込み部１４２の一端が振動部材１４と連結部分１４４で繋がった一体構造となっている。この連結部分１４４は、弾性変形により、可撓性の挟み込み部１４２を押し付け方向に変形し易い形状となっている。
【００３６】
このため、本実施の形態に係る駆動装置１０は、従来の駆動装置で必要であった別体のパッドが不要である。それにより、組み立ての簡素化を図ることができ、部品点数を削減でき、コストを削減することができる。
【００３７】
次に、図２を参照して、積層圧電素子１３に供給される電流と積層圧電素子１３に発生する変位について説明する。なお、図２は、上記特許文献１の図５に図示されたものと同じものである。図２（Ａ）および（Ｂ）は、それぞれ、駆動回路（図示せず）により積層圧電素子１３に供給される電流の変化と、積層圧電素子１３の変位を示すものである。
【００３８】
図２（Ａ）に示すように、積層圧電素子１３に大電流（正方向）と所定の一定電流（負方向）とを交互に流す。このような状況では、図２（Ｂ）に示すように、積層圧電素子１３は、大電流（正方向）に対応した急激な変位（伸び）と、一定電流（負方向）に対応した穏やかな変位（縮み）とが交互に生じる。
【００３９】
すなわち、積層圧電素子１３に矩形波電流を印加して（図２（Ａ））、積層圧電素子１３に対してのこぎり波状の変位（伸縮）を生じ（図２（Ｂ））させる。
【００４０】
図２に加えて図１をも参照して、駆動装置１０の動作について説明する。先ず、レンズ可動部を上下方向Ｚに沿って下方向に移動する場合の動作について説明する。
【００４１】
先ず、図２（Ａ）に示すように、積層圧電素子１３に正方向の大電流を流すと、図２（Ｂ）に示すように、積層圧電素子１３は急速に厚み方向の伸び変位を生じる。その結果、振動摩擦部１３はレンズの光軸方向（上下方向Ｚ）に沿って上方向に急速に移動する。このとき、移動部材１２（レンズ可動部）は、その慣性力により、振動部材１４と棒状の移動軸（移動部材）１２との間の摩擦力に打ち勝って実質的にその位置にとどまるので、移動しない。
【００４２】
次に、図２（Ａ）に示すように、積層圧電素子１３に負方向の一定電流を流すと、積層圧電素子１３は緩やかに厚み方向の縮み変位を生じる。その結果、振動部材１４はレンズの光軸方向（上下方向Ｚ）に沿って下方向に緩やかに移動する。このとき、振動部材１４と棒状の移動軸（移動部材）１２とはそれらの間の接触面に発生する摩擦力により結合しているので、移動部材１２（レンズ可動部）は振動部材１４と共に実質的にレンズの光軸方向（上下方向Ｚ）に沿って下方向に移動する。
【００４３】
このように、積層圧電素子１３に正方向の大電流と負方向の所定の一定電流を交互に流して、積層圧電素子１３に伸び変位と縮み変位を交互に生じさせることにより、レンズ可動部のレンズ保持枠（図示せず）をレンズ光軸方向（上下方向Ｚ）に沿って下方向へ連続して移動させることができる。
【００４４】
移動部材１２（レンズ可動部）をレンズ光軸方向（上下方向Ｚ）に沿って上方向に移動させるには、上記と逆に積層圧電素子１３に負方向の大電流と、正方向の所定の一定電流とを交互に流すことによって、達成することができる。
【００４５】
次に、積層圧電素子１３について説明する。積層圧電素子１３は直方体の形状をしており、その素子サイズは、０．９［ｍｍ］×０．９［ｍｍ］×１．５［ｍｍ］である。圧電材料としてＰＺＴのような低Ｑｍ材を使用している。厚さ２０［μｍ］の圧電材料と厚さ２［μｍ］の内部電極とを交互に櫛形に５０層積層することによって、積層圧電素子１３を製造する。そして、積層圧電素子１３の有効内部電極サイズは、０．６［ｍｍ］×０．６［ｍｍ］である。換言すれば、積層圧電素子１３の有効内部電極の外側に位置する周辺部には、幅０．１５［ｍｍ］のリング状の不感帯部分（クリアランス）が存在する。
【００４６】
尚、付勢部材としてのバネは、図１に図示したものに限定されない。
【００４７】
図３は、図１に示した駆動装置の変形例である。したがって、駆動装置に１０Ａの参照符号を付してある。図示の駆動装置１０Ａは、バネの形状が図１に示したものと相違している点を除いて、図１に示した駆動装置１０と同様の構成を有し、動作をする。したがって、バネに１５Ａの参照符号を付してある。図１に示したものと同様の機能を有するものには同一の参照符号を付し、説明の簡略化のためにそれらの説明については省略する。
【００４８】
バネ１５Ａの一端１５ａは、振動部材１４の角部に係合している。バネ１５Ａは、この一端１５ａから振動部材１４の外周壁に沿って、可撓性の挟み込み部１４２側まで延在している。バネ１５は、その他端部側で、可撓性の挟み込み部１４２と当接する当接部１５ｂを持つ。これにより、振動部材１４と可撓性の挟み込み部１４２をバネ１５Ａで棒状の移動軸（移動部材）１２に押し付けている。この結果、棒状の移動軸（移動部材）１２は振動部材１４に安定して摩擦結合される。
【００４９】
図４を参照して、本発明の第２の実施の形態による駆動装置２０について説明する。図４において、（Ａ）は駆動装置２０の平面図であり、（Ｂ）は駆動装置２０の正面図である。ここでは、図４に示されるように、直交座標系（Ｘ，Ｙ，Ｚ）を使用している。図４に図示した状態では、直交座標系（Ｘ，Ｙ，Ｚ）において、Ｘ軸は左右方向（幅方向）であり、Ｙ軸は前後方向（奥行方向）であり、Ｚ軸は上下方向（高さ方向）である。
【００５０】
図示の駆動装置２０は、例えば、オートフォーカスレンズ駆動ユニットのレンズ駆動部として使用される。その場合、図４に示す例においては、上下方向Ｚがレンズの光軸方向である。
【００５１】
図示の駆動装置２０は、図示しない筐体内に配置される。筐体は、カップ状の上側カバー（図示せず）と下側ベース（図示せず）とを含む。筐体の下側ベース上に静止部材（錘）２１が搭載される。上側カバーの上面は、レンズの光軸を中心軸とした円筒部（図示せず）を有する。一方、図示はしないが、下側ベースの中央部には、基板に配置された撮像素子が搭載される。この撮像素子は、可動レンズ（後述する）により結像された被写体像を撮像して電気信号に変換する。撮像素子は、例えば、ＣＣＤ（charge coupled device）型イメージセンサ、ＣＭＯＳ（complementary metal oxide semiconductor）型イメージセンサ等により構成される。
【００５２】
筐体内には、可動鏡筒（図示せず）を間に挟んで、当該駆動装置２０と対向した位置に、案内軸（図示せず）が設けられている。この案内軸は、レンズの光軸と平行に延在している。案内軸の上端は筐体の上側カバーの上面に固定され、下端は筐体の下側ベースに固定されている。このレンズの光軸を間に挟んで、案内軸と反対側には、棒状の振動部材２２が設けられている。すなわち、案内軸と振動部材２２とは、レンズの光軸まわりに回転対称な位置に配置されている。
【００５３】
尚、オートフォーカスレンズ駆動ユニットは、レンズ可動部とレンズ駆動部とから構成される。レンズ駆動部は、レンズ可動部をレンズの光軸方向に摺動可能に支持しながら、後述するようにレンズ可動部を駆動する。レンズ駆動部は、静止部材（錘）２１と棒状の振動部材２２とを含む。レンズ可動部は被駆動部材２７を含む。この被駆動部材２７は、後述する移動部材２４と結合されている。
【００５４】
駆動装置２０（レンズ駆動部）は、電気機械変換素子として働く積層圧電素子２３と、円柱状の上記静止部材（錘）２１と、棒状の振動部材２２とを有する。積層圧電素子２３は、レンズの光軸方向に伸縮する。積層圧電素子２３は、レンズの光軸方向に複数の圧電層を積層した構造を有する。積層圧電素子２３は、伸縮方向で互いに対向する第１の端部（下端部）２３ａと第２の端部（上端部）２３ｂとを持つ。静止部材（錘）２１は、積層圧電素子２３の第１の端部（下端部）２３ａに接着剤等で結合される。棒状の振動部材２２は、積層圧電素子２３の第２の端部（上端部）２３ｂに接着剤等で取り付けられている。図示の例では、棒状の振動部材２２は積層圧電素子２３の第２の端部２３ｂに直接結合されているが、棒状の振動部材２２と積層圧電素子２３の第２の端部２３ｂとの間に何らかの部材が介在してもよい。積層圧電素子２３と静止部材２１との組合せは、圧電ユニットと呼ばれる。
【００５５】
移動部材２４は、この棒状の振動部材２２と摩擦結合される。移動部材２４には、当該移動部材２４と棒状の振動部材２２との間の摩擦結合部に断面Ｖ字状の溝２４ａが形成されている。
【００５６】
移動部材２４は、弾性によって棒状の振動部材２２を挟み込む可撓性の挟み込み部２４２を持つ。駆動装置２０（レンズ駆動部）は、棒状の振動部材２２を移動部材２４に対して押し付ける（付勢する）ためのバネ２５を備える。すなわち、バネ２５は、移動部材２４と可撓性の挟み込み部２４２とに係合して、可撓性の挟み込む部２４２を振動部材２２に押し付ける押付力を発生する。換言すれば、バネ２５は、可撓性の挟み込み部２４２を振動部材２２に付勢して、移動部材２４と振動部材２２との間に摩擦力を付加する付勢手段として作用する。
【００５７】
移動部材２４は、バネ２５を保持するための一対の係止溝２４ｂが設けられている。バネ２５は、その両端２５ａがこれら一対の係止溝２４ｂで移動部材２４に係合され、その両端２５ａから可撓性の挟み込み部２４２側に延在している。バネ２５は、その中央部で、可撓性の挟み込み部２４２と当接する当接部２５ｂを持つ。これにより、移動部材２４と可撓性の挟み込み部２４２をバネ２５で棒状の振動部材２２に押し付けている。この結果、移動部材２４は棒状の振動部材２２に安定して摩擦結合される。
【００５８】
詳述すると、振動部材２２とバネ２５との間に可撓性の挟み込み部２４２が挟み込まれている。これは、バネ２５の摩擦磨耗による押付力の劣化をなくし、バネ２５の摩擦磨耗による摩擦力の変化をなくすためである。尚、可撓性の挟み込み部２４２の摩擦磨耗を防ぐため、可撓性の挟み込み部２４２の表面は滑らかであることが望ましい。
【００５９】
また、移動部材２４において、移動部材２４と棒状の振動部材２２との間の摩擦結合部に断面Ｖ字状の溝２４ａを形成している。移動部材２４の断面Ｖ字状の溝２４ａによる振動部材２２との２直線接触により、摩擦結合部の接触状態が安定し、再現性の良い摩擦駆動が得られるという効果を奏する。尚、この断面Ｖ字状の溝２４ａの角度は、３０度から１８０度未満の範囲であることが望ましい。
【００６０】
また、移動部材２４と可撓性の挟み込み部２４２をバネ２５で棒状の振動部材２２に押し付けている。これにより、移動部材２４の断面Ｖ字状の溝２４ａと可撓性の挟み込み部２４２とを、振動部材２２に押し付けることで、安定した線接触を可能としている。尚、バネ２５による押付力は５〜１００ｇｆの範囲にあることが望ましい。
【００６１】
このように、本実施の形態では、移動部材２４が可撓性の挟み込み部２４２を持っている。すなわち、移動部材２４は、可撓性の挟み込み部２４２の一端が移動部材２４と連結部分２４４で繋がった一体構造となっている。この連結部分２４４は、弾性変形により、可撓性の挟み込み部２４２を押し付け方向に変形し易い形状となっている。
【００６２】
このため、本実施の形態に係る駆動装置２０は、従来の駆動装置で必要であった別体のパッドが不要である。それにより、組み立ての簡素化を図ることができ、部品点数を削減でき、コストを削減することができる。
【００６３】
以上、本発明についてその好ましい実施の形態によって説明してきたが、本発明の精神を逸脱しない範囲内で、種々の変形が当業者によって可能であるのは明らかである。例えば、上記実施の形態では、付勢部材としてバネを用いているが、バネ以外の付勢部材を用いてもよいのは勿論である。
【図面の簡単な説明】
【００６４】
【図１】本発明の第１の実施の形態による駆動装置を示す図で、（Ａ）は駆動装置の平面図、（Ｂ）は駆動装置の正面図である。
【図２】積層圧電素子に供給される電流と積層圧電素子に発生する変位を説明するための波形図である。
【図３】図１に示した駆動装置の変形例を示す図で、（Ａ）は駆動装置の平面図、（Ｂ）は駆動装置の正面図である。
【図４】本発明の第２の実施の形態による駆動装置を示す図で、（Ａ）は駆動装置の平面図、（Ｂ）は駆動装置の正面図である。
【符号の説明】
【００６５】
１０、１０Ａ    駆動装置
１１    静止部材（錘）
１２    棒状の移動部（移動部材）
１３    積層圧電素子（電気機械変換素子）
１３ａ    第１の端部（下端部）
１３ｂ    第２の端部（上端部）
１４    振動部材
１４ａ    断面Ｖ字状の溝
１４ｂ    係止溝
１４２    可撓性の挟み込み部
１４４    連結部分
１５、１５Ａ    バネ（付勢部材）
２０    駆動装置
２１    静止部材（錘）
２２    棒状の振動部材
２３    積層圧電素子（電気機械変換素子）
２３ａ    第１の端部（下端部）
２３ｂ    第２の端部（上端部）
２４    移動部材
２４ａ    断面Ｖ字状の溝
２４ｂ    係止溝
２４２    可撓性の挟み込み部
２４４    連結部分
２５    バネ（付勢部材）
【図１】
2009050142.tif 000003
【図２】
2009050142.tif 000004
【図３】
2009050142.tif 000005
【図４】
2009050142.tif 000006